(57)【要約】【課題】並列に接続された複数のパワー素子が、駆動時の適正電圧が異なるパワー素子を含んでいても、電力消費の増加を抑えつつ、複数のパワー素子を駆動する。【解決手段】パワー素子駆動装置は、異なる電源電圧を発生する第１絶縁電源部１０と第２絶縁電源部２０とを含む絶縁型電源１と、第１絶縁電源部１０によって供給される第１電源電圧を利用して第１パワー素子３０に駆動信号を出力する第１駆動回路１６と、第２絶縁電源部２０によって供給される第２電源電圧を利用して第２パワー素子４０、４１に駆動信号を出力する第２駆動回路２６と、を有する。従って、第１駆動回路１６と第２駆動回路２６とが、それぞれ、第１電源電圧及び第２電源電圧を利用して生成した駆動信号を出力することにより、第１パワー素子３０及び第２パワー素子４０、４１を適正な電圧の駆動信号にて駆動することが可能になる。【選択図】図１
2020018037.tif 000002
【特許請求の範囲】
【請求項１】
並列に接続された複数のパワー素子（３０、４０、４１）を駆動するためのパワー素子駆動装置であって、
前記複数のパワー素子は、駆動時の適正電圧が異なる第１パワー素子（３０）と第２パワー素子（４０、４１）とを含み、
少なくとも前記第１パワー素子と前記第２パワー素子に対して別々に設けられ、対応するパワー素子に駆動信号を出力する複数の駆動回路（１６、２６）と、
前記複数の駆動回路において前記駆動信号を出力するために利用される電源電圧を供給する絶縁型電源（１、１００、２００）であって、第１電源電圧を供給する第１絶縁電源部（１０、１１０、２１０）と、第１電源電圧とは異なる第２電源電圧を供給する第２絶縁電源部（２０、１２０、２２０）とを含む絶縁型電源と、を備え、
前記複数の駆動回路は、前記第１絶縁電源部によって供給される第１電源電圧を利用して、前記第１パワー素子に対して前記駆動信号を出力する第１駆動回路（１６）と、前記第２絶縁電源部によって供給される第２電源電圧を利用して、前記第２パワー素子に対して前記駆動信号を出力する第２駆動回路（２６）とを含むパワー素子駆動装置。
【請求項２】
前記第１絶縁電源部は、１次巻線（１２ａ）と２次巻線（１２ｂ）とを有する第１トランス（１２）と、前記第１トランスの１次巻線に接続される第１スイッチング素子（１３）とを有し、
前記第２絶縁電源部は、１次巻線（２２ａ）と２次巻線（２２ｂ）とを有する第２トランス（２２）と、前記第２トランスの１次巻線に接続される第２スイッチング素子（２３）とを有し、
前記第１トランスと前記第２トランスとの巻線比と、前記第１スイッチング素子と前記第２スイッチング素子との駆動デューティ比の少なくとも一方を異ならせることにより、前記第１絶縁電源部が供給する前記第１電源電圧と、前記第２絶縁電源部が供給する前記第２電源電圧とを異ならせる請求項１に記載のパワー素子駆動装置。
【請求項３】
前記第１絶縁電源部は、１次巻線（１２ａ）と２次巻線（１２ｂ）とを有する第１トランス（１２）を有し、
前記第２絶縁電源部は、１次巻線（２２ａ）と２次巻線（２２ｂ）とを有する第２トランス（２２）を有し、
前記第１トランスと前記第２トランスとの巻線比は異なっており、
前記絶縁型電源は、前記第１トランスの１次巻線と前記第２トランスの１次巻線に接続された共通のスイッチング素子（１２３）を備える請求項１に記載のパワー素子駆動装置。
【請求項４】
前記絶縁型電源は、前記第１絶縁電源部と前記第２絶縁電源部とで共用される共用１次巻線（２１２ａ）と、前記共用１次巻線に接続されたスイッチング素子（２２３）と、を有し、
前記第１絶縁電源部は、前記共用１次巻線と磁気的に結合した２次巻線（２１２ｂ）を有し、
前記第２絶縁電源部は、前記共用１次巻線と磁気的に結合した２次巻線（２１２ｃ）を有し、
前記第１絶縁電源部の２次巻線と前記第２絶縁電源部の２次巻線とは巻数が異なる請求項１に記載のパワー素子駆動装置。
【請求項５】
前記スイッチング素子はデューティ駆動されるものであって、前記第１絶縁電源部が供給する第１電源電圧と前記第２絶縁電源部が供給する第２電源電圧とのどちらか一方の電源電圧を検出し、その検出した電源電圧が目標電圧となるように、前記スイッチング素子を駆動する際のデューティ比が制御される請求項３又は４に記載のパワー素子駆動装置。
【請求項６】
前記第１絶縁電源部の低電位側と、前記第１電源電圧を利用する前記第１駆動回路によって駆動される前記第１パワー素子のエミッタ側とを接続する接続線（１７）と、
前記第２絶縁電源部の低電位側と、前記第２電源電圧を利用する前記第２駆動回路によって駆動される前記第２パワー素子のエミッタ側とを接続する接続線（２７）とを備える請求項１乃至５のいずれかに記載のパワー素子駆動装置。
【発明の詳細な説明】
【技術分野】
【０００１】
本発明は、並列に接続された複数のパワー素子を駆動するためのパワー素子駆動装置に関する。
【背景技術】
【０００２】
特許文献１には、並列に接続された複数のスイッチング素子が、駆動回路により、同じ電圧の駆動信号がそれぞれのゲートに印加されてオンされることが示されている。
【先行技術文献】
【特許文献】
【０００３】
【特許文献１】特開２０１７−２８９５６号公報
【発明の概要】
【発明が解決しようとする課題】
【０００４】
例えば、並列に接続された複数のスイッチング素子の形成材料や種類が異なる場合など、それぞれのスイッチング素子を駆動する際の適正電圧が異なることがある。駆動時の適正電圧が異なるスイッチング素子を、上述した特許文献１のように同じ電圧の駆動信号によって駆動する場合、駆動信号の電圧は、相対的に高い駆動電圧を必要とするパワー素子に合わせざるをえない。この場合、相対的に低い駆動電圧で十分であるパワー素子において、電力が無駄に消費されてしまうという問題がある。
【０００５】
本発明は、このような点に鑑みてなされたものであり、並列に接続された複数のパワー素子が、駆動時の適正電圧が異なるパワー素子を含んでいても、電力消費の増加を抑えつつ、複数のパワー素子を駆動することが可能なパワー素子駆動装置を提供することを目的とする。
【課題を解決するための手段】
【０００６】
上記目的を達成するために、本発明によるパワー素子駆動装置は、並列に接続された複数のパワー素子（３０、４０、４１）を駆動するためのものであって、
複数のパワー素子は、駆動時の適正電圧が異なる第１パワー素子（３０）と第２パワー素子（４０、４１）とを含み、
少なくとも第１パワー素子と第２パワー素子に対して別々に設けられ、対応するパワー素子に駆動信号を出力する複数の駆動回路（１６、２６）と、
複数の駆動回路において駆動信号を出力するために利用される電源電圧を供給する絶縁型電源（１、１１０、２１０）であって、第１電源電圧を供給する第１絶縁電源部（１０、１１０、２１０）と、第１電源電圧とは異なる第２電源電圧を供給する第２絶縁電源部（２０、１２０、２２０）とを含む絶縁型電源と、を備え、
複数の駆動回路は、第１絶縁電源部によって供給される第１電源電圧を利用して第１パワー素子に対して駆動信号を出力する第１駆動回路（１６）と、第２絶縁電源部によって供給される第２電源電圧を利用して第２パワー素子に対して駆動信号を出力する第２駆動回路（２６）とを含むことを特徴とする。
【０００７】
このように、本発明によるパワー素子駆動装置は、異なる電源電圧を発生する第１絶縁電源部（１０、１１０、２１０）と第２絶縁電源部（２０、１２０、２２０）とを含む絶縁型電源（１、１００、２００）を備える。そして、複数の駆動回路は、第１絶縁電源部によって供給される第１電源電圧を利用して第１パワー素子（３０）に駆動信号を出力する第１駆動回路（１６）と、第２絶縁電源部によって供給される第２電源電圧を利用して第２パワー素子（４０、４１）に駆動信号を出力する第２駆動回路（２６）とを含む。従って、第１駆動回路と第２駆動回路とが、それぞれ、第１絶縁電源部が供給する第１電源電圧及び第２絶縁電源部が供給する第２電源電圧を利用して生成した駆動信号を出力することにより、第１パワー素子及び第２パワー素子を適正な電圧の駆動信号にて駆動することが可能になる。
【０００８】
上記括弧内の参照番号は、本開示の理解を容易にすべく、後述する実施形態における具体的な構成との対応関係の一例を示すものにすぎず、なんら発明の範囲を制限することを意図したものではない。
【０００９】
また、上述した特徴以外の、特許請求の範囲の各請求項に記載した技術的特徴に関しては、後述する実施形態の説明及び添付図面から明らかになる。
【図面の簡単な説明】
【００１０】
【図１】第１実施形態による、並列に接続された複数のパワー素子を駆動するためのパワー素子駆動装置の構成を示す構成図である。
【図２】第２実施形態による、並列に接続された複数のパワー素子を駆動するためのパワー素子駆動装置の構成を示す構成図である。
【図３】第３実施形態による、並列に接続された複数のパワー素子を駆動するためのパワー素子駆動装置の構成を示す構成図である。
【図４】第４実施形態による、並列に接続された複数のパワー素子を駆動するためのパワー素子駆動装置の構成を示す構成図である。
【発明を実施するための形態】
【００１１】
（第１実施形態）
以下、本発明の第１実施形態によるパワー素子駆動装置について、図面を参照して説明する。図１は、第１実施形態による、並列に接続された複数のパワー素子である第１パワー素子３０と、第２パワー素子４０，４１を駆動するためのパワー素子駆動装置の構成を示す構成図である。なお、第２パワー素子４０、４１は、大電流を流すことができるように並列化されているが、第２パワー素子も単独のパワー素子としてもよい。
【００１２】
複数のパワー素子３０、４０、４１は、例えば、３相モータを駆動するためのインバータ回路のスイッチング素子として用いられる。そして、パワー素子駆動装置は、３相モータの駆動電流の大きさに応じて、駆動するパワー素子の数を変化させたりする。例えば、パワー素子駆動装置は、３相モータの駆動電流が小さい場合、第１パワー素子３０のみを駆動し、駆動電流が大きくなると、第１及び第２パワー素子３０、４０、４１を駆動したりする。あるいは、パワー素子駆動装置は、後述するように第１パワー素子３０がＳｉＣＭＯＳＦＥＴであり、第２パワー素子４０，４１がＩＧＢＴである場合であって、第１及び第２パワー素子３０、４０、４１をターンオフさせる場合、第２パワー素子４０、４１を先にターンオフし、その後、第１パワー素子３０をターンオフしたりする。これにより、ＩＧＢＴのテール電流による損失を低減することが可能となる。
【００１３】
第１パワー素子３０は、例えば、ＳｉＣＭＯＳＦＥＴによって構成し、第２パワー素子４０、４１は、ＩＧＢＴによって構成することができる。
【００１４】
このように、パワー素子の形成材料や種類が異なる場合、それぞれのパワー素子の駆動信号の適正な電圧が異なることがある。具体的には、上述したように、第１パワー素子３０をＳｉＣＭＯＳＦＥＴによって構成した場合、その駆動信号の電圧は２０Ｖ程度に設定されることが好ましい。また、第２パワー素子４０、４１をＩＧＢＴによって構成した場合、その駆動信号の電圧は１５Ｖ程度に設定されることが好ましい。
【００１５】
そのため、本実施形態のパワー素子駆動装置は、第１パワー素子３０と、第２パワー素子４０、４１とを、異なる電圧の駆動信号にて駆動可能に構成した。以下に、パワー素子駆動装置における、異なる電圧の駆動信号を発生させるための構成について詳しく説明する。
【００１６】
図１に示すように、本実施形態のパワー素子駆動装置は、絶縁型電源１を有する。絶縁型電源１は、第１絶縁電源部１０と第２絶縁電源部２０とを含む。第１絶縁電源部１０と第２絶縁電源部２０とは、それぞれ、トランスによって入力側回路と出力側回路とが絶縁されている。
【００１７】
第１絶縁電源部１０は、入力側回路に、電源１１と、第１トランス１２の１次巻線１２ａと、第１スイッチング素子１３とを設けている。また、出力側回路に、第１トランス１２の２次巻線１２ｂと、第１ダイオード１４と、第１コンデンサ１５とを設けている。第１トランス１２の１次巻線１２ａと２次巻線１２ｂとは逆極性となっている。
【００１８】
図示しない制御部によって第１スイッチング素子１３がデューティ制御によりオン、オフされると、第１スイッチング素子１３がオンされている間、第１トランス１２にエネルギーが蓄積される。そして、第１スイッチング素子１３がオフされると、蓄積されたエネルギーが２次巻線１２ｂから電流として放出され、第１ダイオード１４で半波整流されて直流化される。直流化された電流によって第１コンデンサ１５が充電される。第１コンデンサ１５は充電された電圧を、第１電源電圧として第１駆動回路１６に供給する。
【００１９】
制御部は、第１コンデンサ１５から第１駆動回路１６に供給される第１電源電圧を検出し、その検出した第１電源電圧が、第１パワー素子３０の駆動信号の適正電圧に相当する目標電圧（例えば、２０Ｖ）となるように、デューティ比を可変しつつ第１スイッチング素子１３をデューティ制御（オン、オフ制御）する。これにより、第１絶縁電源部１０は、第１駆動回路１６に対して、第１パワー素子３０を駆動するための適正電圧を供給することができる。
【００２０】
第２絶縁電源部２０も、第１絶縁電源部１０と同様に構成されている。すなわち、入力側回路に、電源２１と、第２トランス２２の１次巻線２２ａと、第２スイッチング素子２３とを設けている。また、出力側回路に、第２トランス２２の２次巻線２２ｂと、第２ダイオード２４と、第２コンデンサ２５とを設けている。第２トランス２２の１次巻線２２ａと２次巻線２２ｂとは逆極性となっている。そして、図示しない制御部によって第２スイッチング素子２３がオン、オフされることにより、第２コンデンサ２５が直流電流によって充電され、その充電電圧が、第２電源電圧として第２駆動回路２６に供給される。
【００２１】
上述したように、第２パワー素子４０、４１の駆動信号の適正な電圧は、第１パワー素子３０の駆動信号の適正な電圧とは異なる。従って、制御部は、第２電源電圧が、第２パワー素子４０、４１の駆動信号の適正電圧に相当する目標電圧（例えば、１５Ｖ）となるように、デューティ比を可変しつつ第２スイッチング素子２３をデューティ制御する。この結果、第１スイッチング素子１３をオン、オフするデューティ比と、第２スイッチング素子２３をオン、オフするデューティ比とは異なるものとなる。
【００２２】
なお、以上の説明は、電源１１と電源２１とが同じ電源電圧を発生し、さらに、第１トランス１２と第２トランス２２との巻線比が同一であることを前提としたものである。しかしながら、第１絶縁電源部１０が供給する第１電源電圧と、第２絶縁電源部２０が供給する第２電源電圧とを異ならせるため、デューティ比を異ならせることに加えて、もしくは代えて、第１トランス１２と第２トランス２２との巻線比を異ならせてもよいし、電源１１が発生する電源電圧と電源２１が発生する電源電圧とを異ならせてもよい。
【００２３】
第１駆動回路１６は、パワー素子の駆動回路として一般的な構成を有している。具体的には、第１駆動回路１６は、直列に接続されたハイサイドスイッチとローサイドスイッチを有し、その中点が第１パワー素子３０のゲートに接続されている。従って、図示しない制御部によってハイサイドスイッチがオンされると、第１絶縁電源部１０によって供給される第１電源電圧を持つ駆動信号が、第１パワー素子３０のゲートに印加されて、第１パワー素子３０がオンする。一方、第１パワー素子３０をターンオフする場合には、図示しない制御部によって第１駆動回路１６のハイサイドスイッチがオフされ、かつローサイドスイッチがオンされる。これにより、第１パワー素子３０のゲートに蓄積した電荷がローサイドスイッチを介して放電され、第１パワー素子３０がオフする。
【００２４】
第２駆動回路２６も、第１駆動回路１６と同様に、直列に接続されたハイサイドスイッチとローサイドスイッチを有し、その中点が第２パワー素子４０、４１のゲートに接続されている。従って、図示しない制御部によってハイサイドスイッチがオンされると、第２絶縁電源部２０によって供給される第２電源電圧を持つ駆動信号が、第２パワー素子４０、４１のゲートに印加されて、第２パワー素子４０、４１がオンする。一方、第２パワー素子４０、４１をターンオフする場合には、図示しない制御部によって第２駆動回路２６のハイサイドスイッチがオフされ、かつローサイドスイッチがオンされる。これにより、第２パワー素子４０、４１のゲートに蓄積した電荷がローサイドスイッチを介して放電され、第２パワー素子４０、４１がオフする。
【００２５】
以上、説明したように、本実施形態によるパワー素子駆動装置は、異なる電源電圧を発生する第１絶縁電源部１０と第２絶縁電源部２０とを含む絶縁型電源１を備える。さらに、本実施形態によるパワー素子駆動装置は、パワー素子を駆動する駆動回路として、第１絶縁電源部１０によって供給される第１電源電圧を利用して第１パワー素子３０に駆動信号を出力する第１駆動回路１６と、第２絶縁電源部によって供給される第２電源電圧を利用して第２パワー素子４０、４１に駆動信号を出力する第２駆動回路２６とを含む。従って、第１駆動回路１６と第２駆動回路２６とが、それぞれ、第１絶縁電源部１０が供給する第１電源電圧及び第２絶縁電源部２０が供給する第２電源電圧を利用して生成した駆動信号を出力することにより、第１パワー素子３０及び第２パワー素子４０、４１を適正な電圧の駆動信号にて駆動することが可能になる。
【００２６】
（第２実施形態）
次に、本発明の第２実施形態によるパワー素子駆動装置について、図面を参照して説明する。図２は、第２施形態による、パワー素子駆動装置の構成を示す構成図である。なお、第１実施形態のパワー素子駆動装置と同様の構成については、同じ参照番号を付与して、説明を省略することがある。
【００２７】
上述した第１実施形態のパワー素子駆動装置では、第１絶縁電源部１０と第２絶縁電源部２０とが、それぞれ、第１スイッチング素子１３と第２スイッチング素子２３とを有していた。そして、図示しない制御部は、第１絶縁電源部１０が供給する第１電源電圧と第２絶縁電源部２０が供給する第２電源電圧とがそれぞれの目標電圧と一致するように、第１スイッチング素子１３と第２スイッチング素子２３の駆動デューティ比を個別に可変するものであった。
【００２８】
それに対して、第２実施形態によるパワー素子駆動装置では、図２に示すように、絶縁型電源１００が、第１トランス１２の１次巻線１２ａと第２トランス２２の１次巻線２２ａとを共通の電源１１１及び共通のスイッチング素子１２３に接続するように構成される。換言すれば、本実施形態のパワー素子駆動装置の絶縁型電源１００では、第１トランス１２の１次巻線１２ａと第２トランス２２の１次巻線２２ａとが並列に接続される。そして、各１次巻線１２ａ、２２ａの並列回路と直列に、共通の電源１１１と共通のスイッチング素子１２３とが接続される。
【００２９】
このように、本実施形態のパワー素子駆動装置では、絶縁型電源１００の入力側回路（１次側回路）の構成部品（電源１１１及びスイッチング素子１２３）を共用しているので、第１実施形態の絶縁型電源１に比較して、絶縁型電源１００の部品点数を削減し、構成を簡素化することができる。
【００３０】
なお、本実施形態では、図２に示すように、第１絶縁電源部１１０は、第１トランス１２、第１ダイオード１４、及び第１コンデンサ１５を含み、第２絶縁電源部１２０は、第２トランス２２、第２ダイオード２４、及び第２コンデンサ２５を含む。
【００３１】
また、本実施形態では、スイッチング素子１２３が共用されているので、第１絶縁電源部１１０と第２絶縁電源部１２０とで、第１及び第２トランス１２、２２の各１次巻線１２ａ、２２ａへの通電時間を異ならせることができない。そのため、本実施形態のパワー素子駆動装置では、第１絶縁電源部１１０が供給する第１電源電圧と第２絶縁電源部１２０が供給する第２電源電圧とを異ならせるために、第１トランス１２の巻数比と第２トランス２２の巻数比を、それぞれの目標電圧に応じた異なる巻数比にしている。そして、図示しない制御部は、第１電源電圧と第２電源電圧との一方の電源電圧を検出し、その検出した電源電圧が目標電圧となるように、スイッチング素子１２３の駆動デューティ比を制御する。その結果、第１トランス１２と第２トランス２２の巻数比の相違によって、電源電圧を検出していない他方の電源電圧も目標電圧に収束させることができる。
【００３２】
（第３実施形態）
次に、本発明の第３実施形態によるパワー素子駆動装置について、図面を参照して説明する。図３は、第３施形態による、パワー素子駆動装置の構成を示す構成図である。なお、第１実施形態及び第２実施形態のパワー素子駆動装置と同様の構成については、同じ参照番号を付与して、説明を省略することがある。
【００３３】
上述した第２実施形態のパワー素子駆動装置では、絶縁型電源１００の入力側回路（１次側回路）の電源１１１及びスイッチング素子１２３を共用することで、絶縁型電源１００の部品点数を削減するものであった。それに対して、本実施形態のパワー素子駆動装置では、さらに、トランスの１次巻線を共用化する対象に加えて、一層の部品点数の削減を可能としたものである。
【００３４】
図３に示すように、本実施形態のパワー素子駆動装置の絶縁型電源２００は、１つのトランス２１２だけを備える。トランス２１２は、第１絶縁電源部２１０と第２絶縁電源部２２０とで共用される共用１次巻線２１２ａを有する。第１絶縁電源部２１０の２次巻線２１２ｂと第２絶縁電源部２２０の２次巻線２１２ｃは、ともに、共用１次巻線２１２ａに磁気的に結合している。なお、第１絶縁電源部２１０の２次巻線２１２ｂと第２絶縁電源部２２０の２次巻線２１２ｃとは、第１及び第２絶縁電源部２１０、２２０の目標とする電源電圧に応じた巻数となっている。従って、第１絶縁電源部２１０の２次巻線２１２ｂと第２絶縁電源部２２０の２次巻線２１２ｃとは、巻数が異なっている。
【００３５】
そして、本実施形態においても、図示しない制御部が、第１電源電圧と第２電源電圧との一方の電源電圧を検出し、その検出した電源電圧が目標電圧となるように、スイッチング素子１２３の駆動デューティ比を制御する。これにより、第１及び第２絶縁電源部２１０、２２０は、それぞれ、目標とする電源電圧を供給することができるようになる。
【００３６】
（第４実施形態）
次に、本発明の第４実施形態によるパワー素子駆動装置について、図面を参照して説明する。図４は、第４施形態による、パワー素子駆動装置の構成を示す構成図である。なお、第１実施形態乃至第３実施形態のパワー素子駆動装置と同様の構成については、同じ参照番号を付与して、説明を省略することがある。
【００３７】
本実施形態のパワー素子駆動装置は、図４に示すように、第１絶縁電源部１１０の低電位側と、第１電源電圧を利用する第１駆動回路１６によって駆動される第１パワー素子３０のエミッタ（ソース）側とを接続する接続線１７と、第２絶縁電源部１２０の低電位側と、第２電源電圧を利用する第２駆動回路２６によって駆動される第２パワー素子４０、４１のエミッタ（ソース）側とを接続する接続線２７とを備える。このような接続線１７、２７を設けることにより、第１絶縁電源部１１０及び第２絶縁電源部１２０は、各パワー素子３０、４０、４１のエミッタ（ソース）電位を基準とする第１電源電圧及び第２電源電圧を出力することが可能となる。従って、それぞれの電源電圧は、例えば、他のパワー素子のスイッチングなどによる電位変動の影響を受けにくくなり、対応するパワー素子を安定してターンオンさせることができる。
【００３８】
なお、図４には、第２実施形態の絶縁型電源１００に、接続線１７、２７を設けた例を示しているが、第１実施形態の絶縁型電源１や、第３実施形態の絶縁型電源２００に、接続線１７、２７を設けてもよい。
【００３９】
以上、本発明の好ましい実施形態について説明したが、本発明は、上述した実施形態になんら制限されることなく、本発明の主旨を逸脱しない範囲において、種々変形して実施することができる。
【００４０】
例えば、上述した第１〜第４実施形態では、第１パワー素子３０と第２パワー素子４０、４１との２種類のパワー素子を並列に接続する例を説明したが、３種類以上のパワー素子を並列に接続してもよい。その場合、絶縁型電源に、３種類以上のパワー素子に対応して、３種類以上の異なる電源電圧を発生する絶縁電源部を設けるとともに、それらの異なる電源電圧を利用した駆動信号を出力するために、３つ以上の駆動回路を設ければよい。
【符号の説明】
【００４１】
１、１００、２００：絶縁型電源、１０、１１０、２１０：第１絶縁電源部、１２：第１トランス、１３：第１スイッチング素子、１４：第１ダイオード、１５：第１コンデンサ、１６：第１駆動回路、１７：接続線、２０、１２０、２２０：第２絶縁電源部、２２：第２トランス、２３：第２スイッチング素子、２４：第２ダイオード、２５：第２コンデンサ、２６：第２駆動回路、２７：接続線、３０：第１パワー素子、４０、４１：第２パワー素子
【図１】
2020018037.tif 000003
【図２】
2020018037.tif 000004
【図３】
2020018037.tif 000005
【図４】
2020018037.tif 000006